(57)【要約】      （修正有）【課題】容器未開封状態において幼児を含む子どもなどにノッチの形成位置を分かり辛くし、容器を容易に開口できないチャイルドプルーフ機能を付し、安全性を向上させた包装容器を提供する。【解決手段】内容物５を挟入する一対の胴材２の周囲をヒートシールｈして、内容物５を収容する収容部４を形成し、周囲の一部であって、ヒートシールｈの一部分（ヒートシール部３）にノッチを形成し、ノッチを、包装容器１の未開封時に外側から視認できなくするとともに開封時には露出させるようにした覆設手段７を備えた。【選択図】図６
2013180826.tif 000002
【特許請求の範囲】
【請求項１】
内容物を挟入する一対の胴材の周囲をヒートシールして、前記内容物を収容する収容部を形成し、前記周囲の一部であって、前記ヒートシールの一部分にノッチを形成した包装容器において、
前記ノッチを、前記包装容器の未開封時に外側から視認できなくするとともに開封時には露出させるようにした覆設手段を備えたことを特徴とする包装容器。
【請求項２】
前記覆設手段は、前記ノッチを形成した前記包装容器の一辺の端部を、該包装容器の表側および裏側から挟着させるとともに、前記ノッチを外側から視認できない不透明な一対の挟着部材であることを特徴とする、請求項１に記載の包装容器。
【請求項３】
前記挟着部材の一端部には、回動軸を前記包装容器一辺端部のヒートシール部分に貫設するとともに、前記挟着部材の他端部には、係止部材を前記包装容器一辺端部のヒートシール部分に貫設し、前記挟着部材は、前記係止部材による係止を解除し、前記回動軸を中心に前記胴材の面に沿って該胴材に押圧接触させながら回動可能としたことを特徴とする、請求項２に記載の包装容器。
【請求項４】
前記覆設手段は、前記包装容器を収容する外側包装容器であり、前記包装容器は、把持部を設けた下方に前記ノッチを形成して、前記外側包装容器内に前記包装容器を収納し、  前記外側包装容器の一端開口部から前記把持部を突出させるとともに、前記外側包装容器一端開口部の開口幅を、前記包装容器のノッチを形成した注出部の幅より狭く形成し、前記外側包装容器は、前記ノッチを視認できない不透明な材質を含む積層体からなり、前記把持部を前記外側包装容器から引き上げることで、前記ノッチを露出可能としたことを特徴とする、請求項１に記載の包装容器。
【発明の詳細な説明】
【技術分野】
【０００１】
本発明は、内容物を挟入する一対の胴材の周囲をヒートシールして、内容物を収容する収容部を形成し、周囲の一部であって、ヒートシールの一部分にノッチを形成した包装容器に関し、より詳細には、ノッチを、包装容器の未開封時に外側から視認できなくするとともに開封時には露出させるようにした覆設手段を備えて開封安全性を高めた包装容器に関する。
【背景技術】
【０００２】
従来、醤油やマヨネーズなどの食品用調味料、歯磨粉やシャンプーなどの日用生活品またはハンドクリームなどの化粧品、あるいは顆粒や錠剤からなる胃腸薬などの医薬品は、周囲をヒートシールされた積層包装材からなる包装容器内に充填されており、消費者は、ヒートシールの一部分に形成されたノッチを起点に容器の一部を破断し、注出口を開口させて内容物を取り出すものがある。
【０００３】
例えば、特許文献１に示すように、ヒートシールされた上方シール部と下方シール部に囲まれて形成された注出口とからなり、上方シール部には、下向きに切り欠かれた第１の凹部と、この第１の凹部に隣接して上向きに張り出した摘み部が設けられ、注出口の未シール部の表面には、注出口の注出方向と略直交し、摘み部の下部から下方シール部に横断する、少なくとも３本の溝からなるハーフカット溝が設けられ、ハーフカット溝の３本の溝のうち、少なくとも下側の溝の２本の溝を切断するように、第１の凹部の下端から摘み部の下部に向かって、ハーフカット溝を横断する方向にノッチを設けることで、他の容器に移し替えて使用する際に、予定した切り取り方向に誘導され、容易にかつ確実に開封できる注出口付パウチ容器がある。
【０００４】
また、例えば、特許文献２に示すように、封着端および掴み補助部を有する包装容器の半片の間に包装物品を挿入し、半片を互いに接合し、一方の半片が比較的低い曲げ強度の材料から選択され、他方の半片が実質的に高い曲げ強度の材料から選択され、掴み補助部の開始領域に脆弱線を有するように設定されることで、平坦で感圧性の医薬品、特に経皮治療製剤のための、剥離可能な縁端封着袋に使用できるとともに、子どもによる望ましからざる使用に対する安全性を向上できるという。
【先行技術文献】
【特許文献】
【０００５】
【特許文献１】特開２０１１−１６２２１２号公報
【特許文献２】特表２００２−５０３１８７号公報
【発明の概要】
【発明が解決しようとする課題】
【０００６】
しかしながら、このような特許文献１〜２に記載の包装容器では、容器の開封を容易とするものの、容器が未開封状態においては、容器端部の一部分に形成された開封に必要なノッチが常時露出しているため、例えば、幼児を含む子どもなどがこのノッチを見つけ易く、悪戯や誤ってノッチを起点に容器の一部を破断してしまい、注出口を開口させたり、内容物を流出させてしまうという問題があった。
このため、本発明では、容器未開封状態において幼児を含む子どもなどにノッチの形成位置を分かり辛くし、容器を容易に開口できないチャイルドプルーフ機能を付し、安全性を向上させた包装容器を提供するものである。
【課題を解決するための手段】
【０００７】
このため、請求項１に記載の発明は、内容物を挟入する一対の胴材の周囲をヒートシールして、前記内容物を収容する収容部を形成し、前記周囲の一部であって、前記ヒートシールの一部分にノッチを形成した包装容器において、前記ノッチを、前記包装容器の未開封時に外側から視認できなくするとともに開封時には露出させるようにした覆設手段を備えたことを特徴とする。
【０００８】
請求項２に記載の発明は、請求項１に記載の包装容器において、前記覆設手段は、前記ノッチを形成した前記包装容器の一辺の端部を、該包装容器の表側および裏側から挟着させるとともに、前記ノッチを外側から視認できない不透明な一対の挟着部材であることを特徴とする。
【０００９】
請求項３に記載の発明は、請求項２に記載の包装容器において、前記挟着部材の一端部には、回動軸を前記包装容器一辺端部のヒートシール部分に貫設するとともに、前記挟着部材の他端部には、係止部材を前記包装容器一辺端部のヒートシール部分に貫設し、前記挟着部材は、前記係止部材による係止を解除し、前記回動軸を中心に前記胴材の面に沿って該胴材に押圧接触させながら回動可能としたことを特徴とする。
【００１０】
請求項４に記載の発明は、請求項１に記載の包装容器において、前記覆設手段は、前記包装容器を収容する外側包装容器であり、前記包装容器は、把持部を設けた下方に前記ノッチを形成して、前記外側包装容器内に前記包装容器を収納し、前記外側包装容器の一端開口部から前記把持部を突出させるとともに、前記外側包装容器一端開口部の開口幅を、前記包装容器のノッチを形成した注出部の幅より狭く形成し、前記外側包装容器は、前記ノッチを視認できない不透明な材質を含む積層体からなり、前記把持部を前記外側包装容器から引き上げることで、前記ノッチを露出可能としたことを特徴とする。
【発明の効果】
【００１１】
請求項１に記載の発明によれば、内容物を挟入する一対の胴材の周囲をヒートシールして、前記内容物を収容する収容部を形成し、周囲の一部であって、ヒートシールの一部分にノッチを形成した包装容器において、ノッチを、包装容器の未開封時に外側から視認できなくするとともに開封時には露出させるようにした覆設手段を備えたので、容器未開封状態において幼児を含む子どもなどにノッチの形成位置を見えないようにして分かり辛くし、悪戯や誤ってノッチを起点に容器の一部を破断し、注出口を開口させたり、内容物を流出させてしまうことを防ぐことができる。従って、安全性を向上させた包装容器を提供することができる。
【００１２】
請求項２に記載の発明によれば、覆設手段は、ノッチを形成した包装容器の一辺の端部を、この包装容器の表側および裏側から挟着させるとともに、ノッチを外側から視認できない不透明な一対の挟着部材であるので、挟着部材でノッチの形成位置を外側から見えないようにすることができ、子どもなどによる容器の容易な開封を防ぐことができる。従って、安全性を向上させた包装容器を提供することができる。
【００１３】
請求項３に記載の発明によれば、挟着部材の一端部には、回動軸を包装容器一辺端部のヒートシール部分に貫設するとともに、挟着部材の他端部には、係止部材を包装容器一辺端部のヒートシール部分に貫設し、挟着部材は、係止部材による係止を解除し、回動軸を中心に胴材の面に沿ってこの胴材に押圧接触させながら回動可能としたので、係止部材により、容器未開封時にはノッチを隠す位置で挟着部材を係止できる。また、容器開封の際には挟着部材を回動軸により円滑に回動させてノッチを露出させることができるとともに、容器開封後には、挟着部材を胴材に押圧接触させながら回動させて、内容物を注出口から楽に注出させることができる。従って、安全性および利便性を向上させた包装容器を提供することができる。
【００１４】
請求項４に記載の発明によれば、覆設手段は、包装容器を収容する外側包装容器であり、包装容器は、把持部を設けた下方にノッチを形成して、外側包装容器内に包装容器を収納し、外側包装容器の一端開口部から把持部を突出させるとともに、外側包装容器一端開口部の開口幅を、包装容器のノッチを形成した注出部の幅より狭く形成し、外側包装容器は、ノッチを視認できない不透明な材質を含む積層体からなり、把持部を外側包装容器から引き上げることで、ノッチを露出可能としたので、容器未開封時には包装容器のノッチが外側包装容器内に位置するため、ノッチの形成位置を分かり辛くして、子どもなどによる容器の容易な開封を防ぐことができるとともに、容器開封の際には、包装容器の把持部を引き上げるだけでノッチを簡単に露出させることができる。さらに、包装容器の注出部の幅が外側包装容器の開口部の幅より広いため、容器未開封時には包装容器のノッチ部分を外側包装容器内に確実に収納できるとともに、ノッチ切断および内容物注出の際、包装容器の注出部を外側包装容器の開口部に係止させることができ、安定して作業を行うことができる。従って、安全性および利便性を向上させた包装容器を提供することができる。
【図面の簡単な説明】
【００１５】
【図１】本発明の一例を示す、覆設手段として挟着部材を備える包装容器の正面図である。
【図２】図１における包装容器のＡ矢視側面図である。
【図３】同覆設手段として挟着部材を備える包装容器の斜視図である。
【図４】挟着部材を回動させてノッチを露出させた挟着部材を備える包装容器の正面図である。
【図５】ノッチから容器端部を切断して注出口を設けた挟着部材を備える包装容器の正面図である。
【図６】挟着部材の回動による内容物の注出を説明する挟着部材を備える包装容器の正面図である。
【図７】包装容器を収容し、上側端部の開口部から包装容器の把持部を突出させた覆設手段としての外側包装容器の正面図である。
【図８】同覆設手段による外側包装容器に包装容器を収容する説明図である。
【図９】把持部を引き上げてノッチを露出させる説明図である。
【図１０】ノッチから容器端部を切断して設けた注出口より内容物を注出する説明図である。
【図１１】包装容器を収容し、上側中央部の開口部から包装容器の把持部を突出させた覆設手段としての外側包装容器の正面図である。
【図１２】同覆設手段による外側包装容器に包装容器を収容する説明図である。
【図１３】把持部を引き上げてノッチを露出させる説明図である。
【図１４】ノッチから容器端部を切断して設けた注出口より内容物を注出する説明図である。
【発明を実施するための形態】
【００１６】
以下、図面を参照しつつ本発明を実施するための最良の形態について説明する。図１は
本発明の一例を示す、覆設手段として挟着部材を備える包装容器の正面図、図２は図１における包装容器のＡ矢視側面図、図３は同覆設手段として挟着部材を備える包装容器の斜視図、図４は挟着部材を回動させてノッチを露出させた挟着部材を備える包装容器の正面図、図５はノッチから容器端部を切断して注出口を設けた挟着部材を備える包装容器の正面図、図６は挟着部材の回動による内容物の注出を説明する挟着部材を備える包装容器の正面図である。
【００１７】
本願発明の包装容器１は、内容物に、例えば、醤油やマヨネーズ、ケチャップなどの調味料を含む食品、歯磨粉などの練り状物やシャンプーなどの日用生活品またはハンドクリームなどの化粧品、あるいは顆粒や錠剤からなる胃腸薬などの医薬品を例示するが、あらゆる物を収容することができる。
【００１８】
そして、図１〜３に示すように、本願包装容器１は、例えば扇型（正方形や長方形、三角形など限定しない）を有する前後一対の胴材２の端部周囲をヒートシールｈして収容部４を形成し、この収容部４内に上述したような内容物５が収容されている。また、このヒートシールｈした周囲の一部であって、ヒートシール部３の一部分に包装容器１の内方へ向けて切り欠き部１２が形成されており、その切り欠き部１２から上方（後述する回動軸９とは反対方向）へ向けてノッチ６が形成されている。
【００１９】
また、胴材２は、周知のように、外側から内容物５を密封し接触する内側へ向けて順に、一軸延伸ポリプロピレン（ＯＰＰ）などのポリオレフィン組成物からなる周知の表面基材層（印刷基材層）、インキ層、接着層およびシーラント層などからなる積層体であってもよい。
【００２０】
表面基材層としての印刷基材層は、延伸ナイロンフィルム（ＯＮｙ）などを用いることができ、周知の印刷方法によって、内容表示または美感付与等の目的で設けられるものであり、適宜必要に応じて用いられる。通常、この印刷基材層は、表面基材層の下面側、すなわち包装容器１が作製された際に、表面基材層の内側（内容物５側）になるように形成される。
【００２１】
接着層は、周知のもので衛生的に支障のない、例えば二液硬化型ポリウレタン接着剤などを用いることができる。
【００２２】
シーラント層は、表面基材層下面（収容部４側の面）に接着剤を介して設けられ、包装容器１が作製された際には、内容物５に接触する最内層となる。このシーラント層としては、ポリエチレン（ＰＥ）や、低密度ポリエチレンフィルム、超低密度ポリエチレンフィルム、直鎖状低密度ポリエチレンフィルム、中密度ポリエチレンフィルム、高密度ポリエチレンフィルム（これらポリエチレンフィルムの略称をＰＥＦ）、ポリエチレンテレフタレートフィルム（ＰＥＴ）、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルメタクリレート共重合体フィルム、アイオノマーフィルムのうち、何れか一種以上のフィルムが使用され、単層シーラント層または多層シーラント層とすることができる。
【００２３】
このような包装容器１におけるノッチ６を形成した胴材２の一辺（図１では左側辺）の端部を、ノッチ６を覆い隠すように覆設手段７としてのこの包装容器１の表側および裏側から一対の挟着部材８で挟着させる。
【００２４】
この挟着部材８は、図例のような、ある程度の強度およびを厚み有する板状の長方形（限定しない）で、一枚の挟着部材８の一方側からこの挟着部材８を介して他方側が見えない程度の不透明な合成樹脂から構成される。なお、挟着部材８の材質としては、ポリプロピレン（ＰＰ）やポリエチレン（ＰＥ）、ナイロン（Ｎｙ）、あるいはポリ塩化ビニル（ＰＣＣ）などポリマーが結晶性で、ある程度結晶化度が高いものが使用される。
【００２５】
そして、一対の挟着部材８の一端部（図例では下端部）には、挟着部材８と同じ材質の合成樹脂からなる周知の回動軸９を包装容器１一辺端部のヒートシール部３に貫設するとともに、挟着部材８の他端部（図例では上端部）には、挟着部材８と同じ材質の合成樹脂からなる係止部材１０を包装容器１一辺端部のヒートシール部３に貫設する。
【００２６】
この係止部材１０は、例えば、挟着部材８の一方の内側面に凸部１１の突起を形成するとともに、挟着部材８の他方の内側面には、凹部が形成され、凸部１１がヒートシール部３を介して凹部に嵌合することで、この係止部材１０により、容器未開封時にはノッチ６を隠す位置で挟着部材８を係止させることができる。
【００２７】
なお、一対の挟着部材８は、回動軸９および係止部材１０によって２枚を連結しているが、図２に例示するように、挟着部材８の上端部を連結形成させてもよい。この場合、回動軸９を中心に挟着部材８を回動させた際、挟着部材８の上記連結部が、胴材２の外周辺に接触して挟着部材８の回動を阻害しない位置で両者を連結形成する。
【００２８】
ここで、包装容器１を開封して内容物５を注出させる方法を説明する。まず、上述したように、包装容器１の未開封状態では、ノッチ６を形成した胴材２の一辺が挟着部材８で覆設されており、外側からはこの挟着部材８によりノッチ６を視認できない。この状態において、幼児を含む子どもなどは、ノッチ６の形成位置が分からず、包装容器１を容易に開封させることはできない。
【００２９】
次いで、上述したように、係止部材１０における凸部１１および凹部１２の嵌合を解除し、図４に示すように、回動軸９を中心に挟着部材８を少し回動（図例では反時計方向）させることで、ノッチ６を露出させる。
【００３０】
そして、図５に示すように、指などでノッチ６を起点にして延伸方向に胴材２を引き裂くことで、収容部４端部を開口させて注出口１３を形成する。
【００３１】
次いで、図６に示すように、挟着部材８を、回動軸９を中心にして回動（図例では反時計方向）させることにより、挟着部材８を、ノッチ６および注出口１３を形成した胴材２の辺とは反対側の辺から胴材２を挟む位置に戻すとともに、さらに挟着部材８を注出口１３に向けて回動させることで、一対の挟着部材８が、胴材２の表裏面から収容部４を押圧しながら内容物５を注出口１３方向に移動させるため、ユーザーは注出口１３から内容物５を楽に注出させることができる。
【００３２】
このように、覆設手段７としての挟着部材８により、容器未開封時には外側からはこの挟着部材８によりノッチ６を視認できないため、幼児を含む子どもなどにノッチ６の形成位置を分かり辛くし、悪戯や誤ってノッチ６を起点に容器の一部を破断し、注出口１３を開口させたり、内容物５を流出させてしまうことを防ぐことができるとともに、ノッチ６の目隠し（覆設）に用いた挟着部材８を利用して、挟着部材８の回動により収容部４を押圧させながら内容物５を注出口１３から容易に注出させることができる。
【００３３】
なお、挟着部材８は、上述した例以外に、例えば、未開封時にノッチ６を形成した胴材２の一辺に、一対の挟着部材８における図示しない上端部および下端部のそれぞれ内面に上述のような係止部材を形成することによって、ヒートシール部３を介して固定する構成にしてもよい。
【００３４】
このようにすることで、挟着部材８によりノッチ６の形成位置を外側から視認できないようにして、容器開封の際には、係止部材の嵌合を解除し、挟着部材８を取外して露出させたノッチ６を起点にして延伸方向に胴材２を引き裂くことで、収容部４端部を開口させて注出口１３を形成し、指の押圧などで内容物を注出口１３から注出させてもよい。また、取外した挟着部材８で収容部４を押圧させながら内容物５を注出口１３から注出させてもよい。
【００３５】
ノッチの覆設手段は、次のような構成にすることもできる。図７は包装容器を収容し、上側端部の開口部から包装容器の把持部を突出させた覆設手段としての外側包装容器の正面図、図８は同覆設手段による外側包装容器に包装容器を収容する説明図、図９は把持部を引き上げてノッチを露出させる説明図、図１０はノッチから容器端部を切断して設けた注出口より内容物を注出する説明図である。
【００３６】
この場合、図７に示すように、ノッチ６´を形成した包装容器１´は、覆設手段７としての外側包装容器１４に収容した構成にすることもできる。
【００３７】
まず、包装容器１´は、例えば、図例における上部角側端部に、斜め上方に向けて注出部１５およびその上方に連設して把持部１６を形成した略正方形（長方形や三角形など限定しない）を有する前後一対の胴材２´の端部周囲および把持部１６全面をヒートシールｈして収容部４を形成し、この収容部４内に上述したような内容物５が収容されている。
【００３８】
そして、把持部１６下方の注出部１５におけるヒートシール部３の一部分には、注出部１５の収容部４端部に向けてノッチ６´が形成されている。
【００３９】
また、外側包装容器１４は、包装容器１´を内部に収容可能とする大きさで、正面視略正方形（包装容器１´を収容可能とする形状であれば限定しない）の形状を有する前後一対からなる積層体の周囲を、上端角部（図例では左端）を除いてヒートシールｈしたもので、図８に示すように、ヒートシールｈを施す前に包装容器１´が内部に収容する。
【００４０】
なお、外側包装容器１４の材質は、収容した包装容器１´が上述したように外側から視認できない程度の不透明な合成樹脂を積層させたポリプロピレンなどのポリオレフィン組成物からなる周知の表面基材層（印刷基材層）、インキ層、接着層およびシーラント層などからなる積層体から構成してもよい。
【００４１】
そして、外側包装容器１４に形成した上端角部の開口部１７は、ノッチ６´を形成した注出部１５の横幅より若干幅が小さく、包装容器１´の未開封時において開口部１７から把持部１６のみが突出し、包装容器１´は、収容部４内に収容された内容物５の自重により包装容器１´の底部が外側包装容器１４内の底部に接するとともに、注出部１５の横幅が、注出部１５の開口部１７の通過を規制する構成とされる。
【００４２】
ここで、包装容器１´を開封して内容物５を注出させる方法を説明する。まず、上述したように、包装容器１´の未開封状態では、ノッチ６´を形成した注出部１５が外側包装容器１４内に位置（覆設）されており、外側からはこの外側包装容器１４によりノッチ６´を視認できない。この状態において、幼児を含む子どもなどは、ノッチ６´の形成位置が分からず、包装容器１´を容易に開封させることはできない。
【００４３】
次いで、ユーザーは、図９に示すように、包装容器１´の把持部１６を指で掴んで外側包装容器１４内から包装容器１´を引き上げて、ノッチ６´を含む注出部１５を露出させる。このとき、注出部１５のヒートシール部３は、開口部１７の外周に接触して弾性変形により外側包装容器１４外に引き出されるが、露出後に再び元の形状に戻った注出部１５が、開口部１７より広い横幅により開口部１７上方で係止される。
【００４４】
そして、図１０に示すように、指などでノッチ６´を起点にして延伸方向に注出部１５を引き裂くことで、収容部４端部を開口させて注出口１３´を形成し、指の押圧などで内容物を注出口１３´から注出させる。
【００４５】
このように、覆設手段７としての外側包装容器１４により、容器未開封時には外側からはこの外側包装容器１４でノッチ６´を視認できないため、幼児を含む子どもなどにノッチ６´の形成位置を分かり辛くし、悪戯や誤ってノッチ６´を起点に容器の一部を破断し、注出口１３´を開口させたり、内容物５を流出させてしまうことを防ぐことができるとともに、ノッチ６´を形成した注出部１５が、ノッチ６´切断後にも外側包装容器１４の開口部１７に、その広い横幅により包装容器１´の注出口１３´を開口部１７に係止する役目を有することで、内容物５を円滑に注出させることができる。
【００４６】
なお、上述の例では、包装容器１´の注出部１５横幅による、注出部１５の開口部１７通過規制および内容物５の自重により、容器未開封時の外側包装容器１４における包装容器１´の位置を係止しているが、容器未開封時には、上記構成に加えてさらに図示しない係止部材を、外側包装容器１４と、包装容器１´のヒートシール部３とを貫通させて設けてもよい。
【００４７】
ノッチの覆設手段は、さらに次のような構成にすることもできる。図１１は包装容器を収容し、上側中央部の開口部から包装容器の把持部を突出させた覆設手段としての外側包装容器の正面図、図１２は同覆設手段による外側包装容器に包装容器を収容する説明図、図１３は把持部を引き上げてノッチを露出させる説明図、図１４はノッチから容器端部を切断して設けた注出口より内容物を注出する説明図である。
【００４８】
この場合も上述同様、図１１に示すように、ノッチ６´を形成した包装容器１´´は、覆設手段７としての外側包装容器１４´に収容した構成にすることもできる。
【００４９】
まず、包装容器１´´は、例えば、図例における上端中央部に、上方に向けて注出部１５およびその上方に連設して把持部１６を形成した上部幅を絞った略長方形（正方形や三角形など限定しない）を有する両側面一対の胴材２´´の端部周囲および把持部１６全面をヒートシールして収容部４を形成し、この収容部４内に上述したような内容物５が収容されている。
【００５０】
そして、把持部１６下方の注出部１５におけるヒートシール部３の一部分には、注出部１５の収容部４端部に向けてノッチ６´が形成されている。
【００５１】
また、外側包装容器１４´は、包装容器１´´を内部に収容可能とする大きさで、上部幅を絞った正面視略長方形（包装容器１´´を収容可能とする形状であれば限定しない）の形状を有する前後一対からなる積層体の周囲を、上端中央部（図例では左端）を除いてヒートシールｈしたもので、図１２に示すように、ヒートシールｈを施す前に包装容器１´´を内部に収容する。
【００５２】
外側包装容器１４´の材質は、上述同様に、収容した包装容器１´´が外側から見えない程度の不透明な合成樹脂を積層させたポリプロピレンなどのポリオレフィン組成物からなる周知の表面基材層（印刷基材層）、インキ層、接着層およびシーラント層などからなる積層体から構成してもよい。
【００５３】
そして、外側包装容器１４´に形成した上端中央部の開口部１７´は、ノッチ６´を形成した注出部１５の横幅より若干幅が小さく、包装容器１´´の未開封時において開口部１７´から把持部１６のみが突出し、包装容器１´´は、収容部４内に収容された内容物５の自重により包装容器１´´の底部が外側包装容器１４´内の底部に接するとともに、注出部１５の横幅が、注出部１５の開口部１７´の通過を規制する構成とされる。
【００５４】
包装容器１´´を開封して内容物５を注出させるには、まず、上述したように、包装容器１´´の未開封状態では、ノッチ６´を形成した注出部１５が外側包装容器１４´内に位置（覆設）されており、外側からはこの外側包装容器１４´によりノッチ６´を視認できない。この状態において、幼児を含む子どもなどは、ノッチ６´の形成位置が分からず、包装容器１´´を容易に開封させることはできない。
【００５５】
次いで、ユーザーは、図１３に示すように、包装容器１´´の把持部１６を指で掴んで外側包装容器１４´内から包装容器１´´を引き上げて、ノッチ６´を含む注出部１５を露出させる。このとき、注出部１５のヒートシール部３は、開口部１７´の外周に接触して弾性変形により外側包装容器１４´外に引き出されるが、露出後に再び元の形状に戻った注出部１５が、開口部１７´より広い横幅により開口部１７´上方で係止される。
【００５６】
そして、図１４に示すように、指などでノッチ６´を起点にして延伸方向に注出部１５を引き裂くことで、収容部４端部を開口させて注出口１３´を形成し、指の押圧などで内容物を注出口１３´から注出させる。
【００５７】
このように、覆設手段７としての外側包装容器１４´により、容器未開封時には外側からはこの外側包装容器１４´でノッチ６´を視認できないため、幼児を含む子どもなどにノッチ６´の形成位置を分かり辛くし、悪戯や誤ってノッチ６´を起点に容器の一部を破断し、注出口１３´を開口させたり、内容物５を流出させてしまうことを防ぐことができるとともに、ノッチ６´を形成した注出部１５が、ノッチ６´切断後にも外側包装容器１４´の開口部１７´に、その広い横幅により包装容器１´´の注出部１５を開口部１７´に係止する役目を有することで、内容物５を円滑に注出させることができる。
【００５８】
つまり、容器未開封時には、包装容器１´´のノッチ６´部分を外側包装容器１４´内に確実に収納できるとともに、ノッチ６´切断および内容物５注出の際、包装容器１´´の注出部１５を外側包装容器１４´の開口部１７´に係止させることができ、安定して作業を行うことができる。
【００５９】
なお、上述した外側包装容器１４，１４´（包装容器１，１´，１´´）は、平パウチ
を例に説明したが、本発明はこれに限定されず、図示しない胴材およびボトム材をヒートシールして形成した周知の船底型スタンディングパウチなどにも適用することができる。
【００６０】
以上詳述したように、本願発明の包装容器１，１´，１´´は、内容物５を挟入する一対の胴材２，２´，２´´  の周囲をヒートシールｈして、内容物５を収容する収容部４を形成し、周囲の一部であって、ヒートシールｈの一部分（ヒートシール部３）にノッチ６，６´を形成し、ノッチ６，６´を、包装容器１，１´，１´´の未開封時に外側から視認できなくするとともに開封時には露出させるようにした覆設手段７を備えたものである。
【産業上の利用可能性】
【００６１】
本発明の包装容器は、内容物に、例えば、醤油やマヨネーズ、ケチャップなどの調味料を含む食品、歯磨粉などの練り状物やシャンプーなどの日用生活品またはハンドクリームなどの化粧品、あるいは顆粒や錠剤からなる胃腸薬などの医薬品などを収容した、あらゆるパウチに有用である。
【符号の説明】
【００６２】
１    包装容器
２    胴材
３    ヒートシール部
４    収容部
５    内容物
６    ノッチ
７    覆設手段
８    挟着部材
９    回動軸
１０    係止部材
１１    凸部
１２    切り欠き部
１３    注出口
１５    注出部
１６    把持部
１７    開口部
ｈ    ヒートシール
【図１】
2013180826.tif 000003
【図２】
2013180826.tif 000004
【図３】
2013180826.tif 000005
【図４】
2013180826.tif 000006
【図５】
2013180826.tif 000007
【図６】
2013180826.tif 000008
【図７】
2013180826.tif 000009
【図８】
2013180826.tif 000010
【図９】
2013180826.tif 000011
【図１０】
2013180826.tif 000012
【図１１】
2013180826.tif 000013
【図１２】
2013180826.tif 000014
【図１３】
2013180826.tif 000015
【図１４】
2013180826.tif 000016